(57)【要約】【課題】釘なし楔なしで簡単に組み立てることができ、構造も至って簡単で製作コストも安価、廃棄も容易な組立式木製プランターを提供する。【解決手段】プランターＡ１は、両端部に縦挿通孔１０・１１・１２・１３がそれぞれ形成された一対の第１側面部材１・２と、両端部が縦接続部３ｃ・３ｄ・４ｃ・４ｄである第２側面部材３・４と、第１側面部材１・２と第２側面部材３・４の組立体である枠体Ｂの底部に配設される底部材５とで構成される。第２側面部材３・４は、外面側に水遮断部材３ａ・４ａを配し、内面側に吸水膨張性繊維部材３ｂ・４ｂを配した板材である。第２側面部材３・４の縦接続部３ｃ・３ｄ・４ｃ・４ｄの幅Ｔ１は、水分を含んでいない時点では縦挿通孔１０・１１・１２・１３の開口幅Ｗ１より小さく、水分を含んだ時点では膨潤して膨れ、前記開口幅Ｗ１より大きくなる。【選択図】図１
2018050608.tif 000002
【特許請求の範囲】
【請求項１】
両端部に上端部から下端部に至る縦挿通孔がそれぞれ形成された一対の第１側面部材と、
前記第１側面部材の間に配置され、その両端部に設けられた縦接続部が前記縦挿通孔に挿通される第２側面部材と、
第１側面部材と第２側面部材とを組み立てて形成された枠体の底部に配設される底部材とで構成された組立式木製プランターにおいて、
第２側面部材は、外面側に水遮断部材を配し、内面側に吸水膨張性繊維部材を配した板材で構成され、
第２側面部材の縦接続部の幅は、水分を含んでいない時点では縦挿通孔の開口幅より小さく、水分を含んだ時点では膨潤して膨れ、前記開口幅より大きくなるように設定されている、ことを特徴とする組立式木製プランター。
【請求項２】
第１側面部材の縦挿通孔の上端内のり間の間隔が、下端内のり間の間隔より広く形成され、
第２側面部材の下端内面に接する底部材の端部間の長さが、前記上端内のり間の間隔より小さく且つ前記下端内のり間の間隔より大に形成されていることを特徴とする請求項１に記載の組立式木製プランター。
【請求項３】
請求項１に記載の組立式木製プランターにおいて、
枠体の上面開口を覆う蓋部材が更に設けられ、
第１側面部材の上端部と下端部には、水平挿通孔が更に穿設され、
蓋部材の、第１側面部材側の辺には、第１側面部材の上端部に設けられた水平挿通孔に挿入される蓋側接続部が突設され、
底部材の、第１側面部材側の辺には、第１側面部材の下端部に設けられた水平挿通孔に挿入される底側接続部が突設され、
蓋部材には植物植付け用孔が穿設されている、ことを特徴とする組立式木製プランター。
【請求項４】
請求項３に記載の組立式木製プランターにおいて、
底部材は、その下面側に水遮断部材を配し、上面側に吸水膨張性繊維部材を配した複合板材で構成され、
底部材の水平接続部の板厚は、水分を含んでいない時点では水平挿通孔の開口幅より小さく、水分を含んだ時点では膨潤して膨れ、前記開口幅より大きくなるように設定されている、ことを特徴とする組立式木製プランター。
【請求項５】
請求項３又は４に記載の組立式木製プランターにおいて、
底部材の水遮断部材の両底側接続部の下面に底側の水平挿通孔に嵌まり込む係合溝がそれぞれ形成され、
係合溝の溝底から吸水膨潤性繊維部材の上面に至る板厚が、水分を含んでいない時点では底側の水平挿通孔の開口幅より小さく、水分を含んだ時点では膨潤して膨れ、前記開口幅より大きくなるように設定されている、ことを特徴とする組立式木製プランター。
【請求項６】
請求項１又は３に記載の組立式木製プランターにおいて、
第２側面部材の水遮断部材の両縦接続部の外面に縦挿通孔に嵌まり込む係合溝がそれぞれ形成され、
係合溝の溝底から吸水膨潤性繊維部材の内面に至る幅が、水分を含んでいない時点では第１側面部材の両端部の縦挿通孔の開口幅より小さく、水分を含んだ時点では膨潤して膨れ、前記開口幅より大きくなるように設定されている、ことを特徴とする組立式木製プランター。
【発明の詳細な説明】
【技術分野】
【０００１】
本発明は、中密度繊維板(半硬質繊維板)やインシュレーションボード(軟質繊維板)のような吸水膨張性を有する繊維板を木質無垢材に貼り合せた複合板材を使用することにより、或いは木質無垢材の代わりに防水塗装層を塗着した複合板材を使用することにより、釘を使用することなく簡単に組み立てることが出来、また、廃棄も簡単に出来る組立式木製プランターに関する。
【背景技術】
【０００２】
従来から一般的に用いられているプランターでは、底部に水はけのよい鉢底石を敷き、その上に固形肥料などを混ぜた鹿沼土や赤玉土などの培養土を入れ、好みの種植物を植えて直接、栽培するものや、内部に植栽した植木鉢を並べるようなものなどがあり、家庭用或いはオフィス用として広く普及している。通常、このようなプランターは室内用のみならず室外用としても使用されるため素焼きの陶器製のものや合成樹脂製のものが多い。
【０００３】
このようなプランターは、単に植物を栽培するだけでなく植物も含めた観賞用として使用されるためデザイン性も要求される。特に室内に設置する場合にはインテリアの一部となり、デザインは元より他の家具調度品との調和が重視される。
合成樹脂製のプランターでは、形状や色に製作上の自由度があってデザイン性に優れるが、重量感がなく温かみに欠ける欠点がある。加えて、廃棄処分すると分解することなく破片となって残留し自然破壊につながる。
素焼きの陶器製のプランターは、合成樹脂製より自然的で重量感があるが壊れやすく、最終的には土に戻るとしても重くて廃棄処分に苦労する。
また、プランターに入れられる鉢底石や培養土は、庭があれば兎も角、マンションのような場合には不要となった時に捨てるのに苦労する。
【０００４】
そこで、安価な廃材や間伐材等の幅の狭い木材を利用して、購入者が釘を使わずに組み立てることができ、しかも触覚的及び視覚的において温かみを有するとともに、植物との相性が良く且つ廃棄処分しても腐朽して自然破壊を引き起こすことがない、いわゆる自然にやさしい組立式木製プランターが提案された(特許文献１)。
【０００５】
特許文献１に記載の組立式木製プランターは、幅の狭い間伐材や廃材を利用したもので、一対の第一側面構成材(上板材と下板材で構成)、一対の第二側面構成材(上段板材、中段板材及び下段板材で構成)と、底面構成材(２枚組)とで構成され、第一側面構成材を構成する上・下板材の両端部に開設した係合孔に、第二側面構成材を構成する上段板材、中段板材及び下段板材の両端部に突設した挿入部を嵌合し且つ楔を係合孔に打ち込んで枠組み形成すると共に、相対向した一対の第二側面構成材の下部に設けた凹溝内に底面構成材の端部を嵌合支持し、第二側面構成材の下端の下方突出部分を脚台としたものである。
【先行技術文献】
【特許文献】
【０００６】
【特許文献１】実用新案登録第３０２７１６０号公報
【発明の概要】
【発明が解決しようとする課題】
【０００７】
このプランターは、木製の組立式であるため上記のように、釘の不使用、触覚・視覚的な温かみを演出でき、廃棄処分しても腐朽して自然破壊を引き起こすことがないが、間伐材や廃材を使用しているために幅が狭く、それ故、各側面構成材及び底面構成材に複数の部材が必要となってそれだけ構造が複雑となり、結果として加工コストも高くなり、且つ釘を使用しなくてもよいものの楔を使用しなければならないため初心者では簡単に組み立てることができないという問題があった。また、このプランターは、木製なので、幾分、吸水性は認められるものの保水性を有するとまでは言えず、給水は通常通り、表面の土が乾くと水やりをする必要がある。
本発明は、上記従来例に鑑みてなされたもので、釘なし楔なしで簡単に組み立てることができ、構造も至って簡単で製作コストも安価、廃棄も容易なプランターを提供することを技術課題とするものである。
なお、本発明は、水やり回数を減らすことも出来るプランターを提供することを第２の技術課題とするものである。
【課題を解決するための手段】
【０００８】
請求項１に記載のプランターＡ１・Ａ２(図１，４)は、
両端部に上端部から下端部に至る縦挿通孔１０・１１・１２・１３(３０・３１・３２・３３)がそれぞれ形成された一対の第１側面部材１・２(２１・２２)と、
前記第１側面部材１・２(２１・２２)の間に配置され、その両端部に設けられた縦接続部３ｃ・３ｄ・４ｃ・４ｄ(２３ｃ・２３ｄ・２４ｃ・２４ｄ)が前記縦挿通孔１０・１１・１２・１３(３０・３１・３２・３３)に挿通される第２側面部材３・４(２３・２４)と、
第１側面部材１・２(２１・２２)と第２側面部材３・４(２３・２４)とを組み立てて形成された枠体Ｂの底部に配設される底部材５(２５)とで構成され、
第２側面部材３・４(２３・２４)は、外面側に水遮断部材３ａ・４ａ(２３ａ・２４ａ)を配し、内面側に吸水膨張性繊維部材３ｂ・４ｂ(２３ｂ・２４ｂ)を配した板材で構成され、
第２側面部材３・４(２３・２４)の縦接続部３ｃ・３ｄ・４ｃ・４ｄ(２３ｃ・２３ｄ・２４ｃ・２４ｄ)の幅Ｔ１は、水分を含んでいない時点では縦挿通孔１０・１１・１２・１３(３０・３１・３２・３３)の開口幅Ｗ１より小さく、水分を含んだ時点では膨潤して膨れ、前記開口幅Ｗ１より大きくなるように設定されている、ことを特徴とする。
【０００９】
本発明は、第２側面部材３・４(２３・２４)の内面側に吸水膨張性繊維部材３ｂ・４ｂ(２３ｂ・２４ｂ)を配した複合板材を使用しているので、水分を含ませると吸水膨張性繊維部材３ｂ・４ｂ(２３ｂ・２４ｂ)が膨らんで縦接続部３ｃ・３ｄ・４ｃ・４ｄ(２３ｃ・２３ｄ・２４ｃ・２４ｄ)が縦挿通孔１０・１１・１２・１３(３０・３１・３２・３３)にしっかりと固定され、加えて、吸水膨張性繊維部材３ｂ・４ｂ(２３ｂ・２４ｂ)に蓄えられた水分がプランターＡ１・Ａ２に充填された植物育成用の培土４０に浸透するので、水やり回数を減らすことが出来る。
なお、第２側面部材３・４(２３・２４)の外面側に設けた水遮断部材３ａ・４ａ(２３ａ・２４ａ)は、木質無垢板材や集成材の他、合板、繊維板、パーティクルボード等の一般的な木質材料が用いられるが、吸水膨張性繊維部材３ｂ・４ｂ(２３ｂ・２４ｂ)の外面に塗布された防水性塗装層や可燃性の合成樹脂板材でも代用できる。この点は後述する底部材２５でも同じである。
そして、図示していないが、前記第１側面部材１・２(２１・２２)は、含水による変形を防ぐために木質無垢板材や集成材の他、合板、繊維板、パーティクルボード等の一般的な木質材料だけで形成することが好ましいが、第２側面部材３・４(２３・２４)と同様の複合板材構造としてもよい。
【００１０】
請求項２は、請求項１に記載のプランターＡ１(図１〜３)において、
第１側面部材１・２の縦挿通孔１０・１１・１２・１３の上端内のり間の間隔Ｄ１が、下端内のり間の間隔Ｄ２より広く形成され、
第２側面部材３・４の下端内面に接する底部材５の端部間の長さＳが、前記上端内のり間の間隔Ｄ１より小さく且つ前記下端内のり間の間隔Ｄ２より大に形成されていることを特徴とする。
【００１１】
このようにしておくことで底部材５を枠体Ｂの上面開口から枠体Ｂ内に挿入するだけで枠体Ｂの底部に固定でき、プランターＡ１の組み立てが極めて容易になる。
【００１２】
請求項３は、請求項１に記載のプランターＡ２(図４〜６)において、
枠体Ｂの上面開口を覆う蓋部材２６が更に設けられ、
第１側面部材２１・２２の上端部と下端部には、水平挿通孔３４・３５・３６・３７が更に穿設され、
蓋部材２６の、第１側面部材２１・２２側の辺には、第１側面部材２１・２２の上端部に設けられた水平挿通孔３４・３６に挿入される蓋側接続部２６ｃ・２６ｄが突設され、
底部材２５の、第１側面部材２１・２２側の辺には、第１側面部材２１・２２の下端部に設けられた水平挿通孔３５・３７に挿入される底側接続部２５ｃ・２５ｄが突設され、
蓋部材２６には植物植付け用孔２６ａ・２６ｂが穿設されている、ことを特徴とする。
【００１３】
請求項４は、請求項３に記載のプランターＡ２において、
底部材２５は、その下面側に水遮断部材２５ａを配し、上面側に吸水膨張性繊維部材２５ｂを配した複合板材で構成され、
底部材２５の水平接続部２５ｃ・２５ｄの板厚Ｔ２は、水分を含んでいない時点では水平挿通孔３５・３７の開口幅Ｗ２より小さく、水分を含んだ時点では膨潤して膨れ、前記開口幅Ｗ２より大きくなるように設定されている、ことを特徴とする。
【００１４】
これにより、底部材２５の底側接続部２５ｃ・２５ｄを第１側面部材２１・２２の下端側の水平挿通孔３５・３７に挿入し、底部材２５の吸水膨張性繊維部材２５ｂに水分を含ませた時、第１側面部材２１・２２の下端部にしっかりと固定されるだけでなく、吸水膨張性繊維部材２５ｂからの植物育成用の培土４０への水分補給も可能となる。
【００１５】
請求項５は、請求項３又は４に記載のプランターＡ２において(図５(ｂ))、
底部材２５の水遮断部材２５ａの両底側接続部２５ｃ・２５ｄの下面に底側の水平挿通孔３５・３７に嵌まり込む係合溝２５ｍがそれぞれ形成され、
係合溝２５ｍの溝底から吸水膨潤性繊維部材２５ｂの上面に至る板厚Ｔ２が、水分を含んでいない時点では底側の水平挿通孔３５・３７の開口幅Ｗ２より小さく、水分を含んだ時点では膨潤して膨れ、前記開口幅Ｗ２より大きくなるように設定されている、ことを特徴とする。
【００１６】
請求項６は、請求項１又は３に記載のプランターＡ１・Ａ２において、
第２側面部材３・４(２３・２４)の水遮断部材３ａ・４ａ(２３ａ・２４ａ)の両縦接続部３ｃ・３ｄ・４ｃ・４ｄ(２３ｃ・２３ｄ・２４ｃ・２４ｄ)の外面に縦挿通孔１０・１１・１２・１３(３０・３１・３２・３３) に嵌まり込む係合溝３ｍ・４ｍ(２３ｍ・２４ｍ)がそれぞれ形成され、
係合溝３ｍ・４ｍ(２３ｍ・２４ｍ)の溝底から吸水膨潤性繊維部材３ｂ・４ｂ(２３ｂ・２４ｂ)の内面に至る幅Ｔ１が、水分を含んでいない時点では第１側面部材１・２(２３・２４)の両端部の縦挿通孔１０・１１・１２・１３(３０・３１・３２・３３)の開口幅Ｗ１より小さく、水分を含んだ時点では膨潤して膨れ、前記開口幅Ｗ１より大きくなるように設定されている、ことを特徴とする。
【００１７】
これにより、底部材２５や第２側面部材３・４(２３・２４)を第１側面部材１・２(２１・２２)に取り付けた時、底部材２５の係合溝２５ｍが第１側面部材２１・２２の下端側の水平挿通孔３５・３７に嵌まり込んで係合し、第２側面部材３・４(２３・２４)の係合溝３ｍ・４ｍ(２３ｍ・２４ｍ)が第１側面部材１・２(２１・２２)の縦挿通孔１０・１１・１２・１３(３０・３１・３２・３３)に嵌まり込んで係合し、吸水膨張性繊維部材２５ｂ、３ｂ・４ｂ(２３ｂ・２４ｂ)に水分を含ませた時、第１側面部材１・２にしっかりと固定されるだけでなく、この部分からの水分補給も可能となる。
【発明の効果】
【００１８】
本発明は、釘なし楔なしの挿入作業だけで簡単に組み立てることができ、その構造も簡単で製作コストも安価なプランターとすることが出来た。そして、吸水膨張性繊維部材をプランターの内面側に配置することで、水やり回数を減らすことが出来る。
なお、培土４０を木質材とすることで、プランター全体を可燃性の木質材料で構成することが出来、廃棄が容易になる。
【図面の簡単な説明】
【００１９】
【図１】本発明の第１実施例の斜視図である。
【図２】図１の半分の分解斜視図、(ａ)は第２側面部材の他の例の部分斜視図である。
【図３】内部構造を示す図１の半分の斜視図である。
【図４】本発明の第２実施例の斜視図である。
【図５】図４の半分の分解斜視図、(ａ)は第２側面部材の他の例の部分斜視図、(ｂ)は底部材の他の例の部分斜視図である。
【図６】内部構造を示す図４の半分の斜視図である。
【発明を実施するための形態】
【００２０】
以下、本発明を図示実施例に従って詳述する。図１〜３は、本発明の第１実施例であるプランターＡ１、図４〜６は、同第２実施例であるプランターＡ２である。
第１実施例であるプランターＡ１は、一対の第１側面部材１(２)、第２側面部材３・４及び底部材５の５部材で構成される。
第１側面部材１(２)は長方形(又は図示していないが正方形)の板材で、両端部に縦挿通孔１０・１１(１２・１３)がそれぞれ穿設されている。
第１側面部材１(２)の材質は、例えば、木質無垢材や集成材のような水を通しにくく、仮に吸水しても変形しない１枚物の他、合板、繊維板、パーティクルボード等の一般的な木質材料で構成される。（或いは、図示していないが、インシュレーションボードや中密度繊維板のように吸水によって膨潤して体積が増大する素材(吸水膨張性繊維部材)の外面に薄い木質無垢材や集成材を張り付けた複合板材、又は吸水膨張性繊維部材の外面に防水性塗装層に塗布したり、可燃性の合成樹脂板材を張り付けた複合板材でもよい。）
第１側面部材１(２)はプランターＡ１の骨格形成用であるから、基本的には含水によって変形しない材料が用いられる。この点は第２実施例でも同様である。
【００２１】
縦挿通孔１０・１１(１２・１３)は、第１側面部材１(２)の両端部に線対称にて縦方向で下窄まりに傾斜するように穿設されている。この縦挿通孔１０・１１(１２・１３)の上端内のり間の間隔Ｄ１は、下端内のり間の間隔Ｄ２より広く形成されている。縦挿通孔１０・１１(１２・１３)の開口幅をＷ１で表す。
【００２２】
第２側面部材３・４は、長方形(又は図示していないが正方形)の板材で、その全高及び幅Ｔ１は、挿入可能なように前記縦挿通孔１０・１１(１２・１３)の高さ及び開口幅Ｗ１よりわずかに小さく作られている。
第２側面部材３・４は複合板材で、外面側に上記薄い木質無垢材や集成材の他、合板、繊維板、パーティクルボード等の一般的な木質材料のような水遮断部材３ａ・４ａを配し、内面側に水分を吸収して膨張するインシュレーションボードや中密度繊維板のような吸水膨張性繊維部材３ｂ・４ｂを配した板材である。第２側面部材３・４の幅(板厚)Ｔ１は、水分を含んでいない時点では縦挿通孔１０・１１・１２・１３の開口幅Ｗ１より小さく、水分を含んだ時点では膨潤して膨れ、前記開口幅Ｗ１より大きくなるように設定されている。第２側面部材３・４の両端部が縦挿通孔１０・１１・１２・１３に挿入される縦接続部３ｃ・３ｄ・４ｃ・４ｄとなる。
なお、図示しないが、第２側面部材３・４の全体を吸水膨張性繊維部材で構成し、上記外面の薄い木質無垢材や集成材の代わりに防水性塗料や可燃性の合成樹脂板材を塗布し、防水性塗料層や該合成樹脂板材を水遮断部材としてもよい。この点も第２実施例でも同様である。
【００２３】
底部材５の平面形状は、後述する枠体Ｂの上面開口より若干小さく、下面開口よりは若干大きく形成された長方形又は正方形で、その材質は第２側面部材と同様複合板材で、その下面側に木質無垢材や集成材のような水遮断部材２５ａを配し、上面側にインシュレーションボードや中密度繊維板のような吸水膨張性繊維部材２５ｂを配した素材である。図示していないが、勿論、木質無垢材や集成材のような水遮断部材だけで構成してもよい。この点も第２実施例でも同様である。
底部材２５の第２側面部材３・４に接する端面は、第２側面部材３・４の傾斜に沿うように下窄まりの斜めに切落され、この上面の前記端面間の距離をＳで表す。
底部材２５の第１側面部材１・２に接する端面の間隔は、後述するように第１側面部材１・２の内面間の間隔に等しくなる。
【００２４】
以上のような部材を組み立ててプランターＡ１を構成するのであるが、一対の第２側面部材３・４の端部である縦接続部３ｃ・３ｄ・４ｃ・４ｄを第１側面部材１・２の縦挿通孔１０・１１・１２・１３にそれぞれ挿入し、枠体Ｂを構成する。縦接続部３ｃ・３ｄ・４ｃ・４ｄは縦挿通孔１０・１１・１２・１３より若干小さいので簡単に挿入できる。この状態で、第１側面部材１・２の間隔を底部材５の横幅（前記距離Ｓで示す端面間を結ぶ直線に対して直交する幅）より若干大きくし、枠体Ｂの上面開口から底部材５を挿入する。
枠体Ｂに組まれた第２側面部材３・４の開口幅は、底部材５の縦幅（前記距離Ｓ）より若干広いので、底部材５を枠体Ｂの上面開口から底部に向かって挿入することが出来る。そして、第２側面部材３・４は前述のように下窄まりに形成された縦挿通孔１０・１１・１２・１３にそれぞれ挿入されているので、下面開口に向かって第２側面部材３・４間の幅が漸減しており、下面開口付近で底部材５が第２側面部材３・４の内面下端部分に接触し、当該部分に固定される。そして、底部材５を挿入するために第１側面部材１・２の間隔を底部材５の横幅より大きく広げているので、上記のように底部に係止されると外側から第１側面部材１・２を押し、底部材５に当接させる。これによりプランターＡ１の組み立ては完了するが、縦挿通孔１０・１１・１２・１３が縦接続部３ｃ・３ｄ・４ｃ・４ｄより大きいので、この時点ではぐらぐらの状態である。
【００２５】
続いて、このプランターＡ１に培土４０を充填するが、本実施例では、鉢底石（チップ材）４０ｂとして粒度の粗い木材の破砕チップを充填し、その上に培養土４０ａとしておが屑や鉢底石より粒度の細かい木材の破砕チップに固形肥料を混ぜたものを充填し、培養土４０ａに好みの植物を植え、水を撒く。
撒かれた水は、培養土４０ａに吸収され、更に吸水膨潤性繊維部材３ｂ・４ｂ、２５ｂに吸収される。余分な水は底部材５の周囲の隙間から流出する。
水分を吸った第２側面部材３・４の吸水膨潤性繊維部材３ｂ・４ｂは膨れて体積を増し、第２側面部材３・４の幅Ｔ１が縦挿通孔１０・１１・１２・１３の開口幅Ｗ１より大となり、縦挿通孔１０・１１・１２・１３の内面に強く圧接されて強固に固定される。これによりプランターＡ１はがっちりと固定される。
底部材５の上面側にも吸水膨潤性繊維部材５ｂが設けられているので、この部分も吸水し、特に保水機能を発揮する。
【００２６】
植物の育成には、適時の給水が不可欠であるが、上記のように第２側面部材３・４と底部材５の吸水膨潤性繊維部材３ｂ・４ｂ・２５ｂが保水機能を有するので、仮に給水間隔が空いたとしてもその間の給水は上記吸水膨潤性繊維部材３ｂ・４ｂ・２５ｂの培土４０への浸み込みが見られるので、植物を枯らすようなことはない。
そして培土４０として上記のような木質材料を使用すれば、プランターＡ１自体も木質材料であるから、全体的に軽量であり、それ故、設置や移動にも手間が掛らず、廃棄に際しても単なる可燃物として処理でき、手間が掛らない。尚、廃棄の手間を厭わなければ、一般的な培養土、腐葉土等を使用することもできる。
なお、プランターＡ１は勿論、上記のように培土４０まで地域産材を使用すれば、その地域の木質材料の用途拡大に繋げることが出来る。
【００２７】
第１実施例において、図２(ａ)に示すように、第２側面部材３・４の両端の縦接続部３ｃ・３ｄ・４ｃ・４ｄにおいて、水遮断部材３ａ・４ａの外面に上下方向に全長にわたって係合溝３ｍ・４ｍを凹設してもよい。この場合、係合溝３ｍ・４ｍは浅く、係合溝３ｍ・４ｍの溝底から吸水膨潤性繊維部材３ｂ・４ｂの内面に至る幅Ｔ１が、水分を含んでいない時点では縦挿通孔１０・１１・１２・１３の開口幅Ｗ１より小さく、水分を含んだ時点では膨潤して膨れ、前記開口幅Ｗ１より大きくなるように設定されている。これにより、含水膨張した時に、係合溝３ｍ・４ｍに縦挿通孔１０・１１・１２・１３の縁辺が嵌まり込み、第１側面部材１・２からの第２側面部材３・４の脱落が確実に防止できるようになる。この点も第２実施例に適用できる。
【００２８】
次に、第２実施例のプランターＡ２に付いて説明する(図４〜６)。第２実施例は煩雑な説明を避けるために第１実施例と同じ内容の部分は省略し、第１実施例の記載を援用する。プランターＡ２は、第１実施例の部材に対して枠体Ｂの上面開口を覆う蓋部材２６が更に設けられている点と、第２側面部材３・４が垂直に取り付けられている点及びこれに伴う改変がなされている点で相違する。なお、図示しないが、蓋部材２６を設けない場合もあり得る。
【００２９】
第１側面部材２１・２２の材質、外形形状などは実施例１と同じであるが、縦挿通孔３０・３１・３２・３３が垂直に形成されている点で相違する。その開口幅Ｗ１は実施例１と同じである。そして、縦挿通孔３０・３１・３２・３３が垂直に形成されている関係上、底部材２５を固定するための水平挿通孔３５・３７が第１側面部材２１・２２の下端部に形成され、その開口幅をＷ２とする。そして、蓋部材２６を固定するための水平挿通孔３４・３６がその上端部に形成されている。水平挿通孔３４〜３７は縦挿通孔３０・３１(３２・３３)の間にそれぞれ形成されている。
【００３０】
第２側面部材２３・２４の材質は上記のように実施例１と同じで、水遮断部材２３ａ・２４ａと吸水膨潤性繊維部材２３ｂ・２４ｂの複合板材である。（勿論、水遮断部材に代え、防水塗装層としてもよい。）形状は実施例１と異なり、第２側面部材２３・２４の角部が切落され、その両端の突出部分が縦接続部２３ｃ・２３ｄ・２４ｃ・２４ｄとなっている。縦接続部２３ｃ・２３ｄ・２４ｃ・２４ｄと縦挿通孔３０・３１・３２・３３の関係は実施例１と同じで、吸水していない段階では軽く挿入でき、水分を吸収した状態では膨大して強固に固定される。
【００３１】
底部材２５の材質も実施例１と同じで、水遮断部材２５ａと吸水膨潤性繊維部材２５ｂの複合板材である。（勿論、上記同様、水遮断部材に代え、防水塗装層としてもよい。）形状は実施例１と異なり、底部材２５の角部が切落され、その両端（第１側面部材２１・２２側の辺）の突出部分が底側接続部２５ｃ・２５ｄとなっている。底側接続部２５ｃ・２５ｄと下側の水平挿通孔３５・３７の関係は実施例１と同じで、吸水していない段階では軽く挿入でき（開口幅Ｗ２＞底部材２５の板厚Ｔ２）、水分を吸収した状態では膨大して強固に固定される（開口幅Ｗ２＜底部材２５の板厚Ｔ２）。
【００３２】
蓋部材２６は培養土４０ａの飛散防止のために設けられているもので、実施例２で新たに採用された部材で、全体が吸水膨潤性繊維部材で形成され、実施例では２個の植物植付け用孔２６ａ・２６ｂが並んで穿設されている。そして、底部材２５と同様その角部が切落され、その両端の突出部分が蓋側接続部２６ｃ・２６ｄとなっている。蓋側接続部２６ｃ・２６ｄと上側の水平挿通孔３４・３６の関係は、蓋側接続部２６ｃ・２６ｄが上側の水平挿通孔３４・３６より若干小さく形成されており、吸水していない段階では軽く挿入できる。蓋部材２６には通常、水を掛けることはないが、仮に水が掛り、水分を吸収した状態では膨大して強固に固定される。
【００３３】
しかして、組み立てに当たっては、一方の第１側面部材２１の縦挿通孔３０・３１と上下の水平挿通孔３４・３５に、第２側面部材２３・２４の一方の縦接続部２３ｃ・２４ｃと底部材２５の一方の底側接続部２５ｃ及び蓋部材２６の一方の蓋側接続部２６ｃを挿入し、続いて、第２側面部材２３・２４の他方の縦接続部２３ｄ・２４ｄと底部材２５の他方の底側接続部２５ｄ及び蓋部材２６の他方の蓋側接続部２６ｄを他方の第１側面部材２２の縦挿通孔３２・３３と上下の水平挿通孔３６・３７に挿入する。この段階では実施例１と同様部材間の固定はない。
【００３４】
次に、蓋部材２６の植物植付け用孔２６ａ・２６ｂから木質培土４０を充填し、培養土４０ａに植物を植える。以下の手順は実施例と同じである。
【符号の説明】
【００３５】
Ａ１・Ａ２：プランター、Ｂ：枠体、Ｄ１：縦挿通孔の上端内のり間の間隔、Ｄ２：縦挿通孔の下端内のり間の間隔、Ｓ：底部材の端部間の長さ、Ｔ１：幅、Ｔ２：板厚、Ｗ１・Ｗ２：開口幅、１・２：第１側面部材、３・４：第２側面部材、３ａ・４ａ：水遮断部材、３ｂ・４ｂ：吸水膨潤性繊維部材、３ｃ・３ｄ・４ｃ・４ｄ：縦接続部、３ｍ・４ｍ：係合溝、５：底部材、１０・１１・１２・１３：縦挿通孔、２１・２２：第１側面部材、２３・２４：第２側面部材、２３ａ・２４ａ：水遮断部材、２３ｂ・２４ｂ：吸水膨潤性繊維部材、２３ｃ・２３ｄ・２４ｃ・２４ｄ：縦接続部、２３ｍ・２４ｍ：係合溝、２５：底部材、２５ａ：水遮断部材、２５ｂ：吸水膨潤性繊維部材、２５ｃ・２５ｄ：底側接続部、２５ｍ：係合溝、２６：蓋部材、２６ａ・２６ｂ：植物植付け用孔、２６ｃ・２６ｄ：蓋側接続部、３０・３１・３２・３３：縦挿通孔、３４・３５・３６・３７：水平挿通孔、４０：培土、４０ａ：培養土、４０ｂ：チップ材。
【図１】
2018050608.tif 000003
【図２】
2018050608.tif 000004
【図３】
2018050608.tif 000005
【図４】
2018050608.tif 000006
【図５】
2018050608.tif 000007
【図６】
2018050608.tif 000008